(57)【特許請求の範囲】
【請求項１】
複数のプログラム情報と該プログラム情報の先頭アドレスを含む管理情報とが記録された記録媒体に記録された前記プログラム情報を読み出す読出手段と、
該読出手段により読み出された前記プログラム情報に基づいて画像を表示する表示手段と、
前記各プログラム情報毎のインデックス画像情報を取得し、該インデックス画像情報に基づく複数のインデックス画像を前記表示手段に一覧表示させるマルチ画面情報生成手段と、を有し、
前記各インデックス画像は、該インデックス画像情報を含むプログラム情報内の別の画像情報に基づいて、所定時間毎に更新され、
前記所定時間後に更新されるインデックス画像は、プログラム情報内において、現在表示されているインデックス画像のアドレスから前記所定時間に相当するアドレス量だけ移動したアドレスの画像情報に基づいていることを特徴とする情報再生装置。
【請求項２】
前記インデックス画像には、前記表示手段に表示された領域に応じて識別符号が付され、該識別符号が対応するプログラム情報の先頭アドレスに関連付けられていることを特徴とする、請求項１に記載の情報再生装置。
【請求項３】
前記識別符号を選択指示するための指示手段を備え、
該指示手段により選択指示された識別符号を有するインデックス画像は、前記表示手段にて拡大して表示されることを特徴とする請求項２記載の情報再生装置。
【請求項４】
前記記録媒体は、ディスク状の記録媒体であることを特徴とした、請求項１ないし３のいずれかに記載の情報再生装置。
【請求項５】
前記マルチ画面情報生成手段は、前記管理情報に含まれる各プログラム情報の先頭アドレスに基づいて、前記各プログラム情報から前記インデックス画像情報を取得することを特徴とする請求項１ないし４のいずれかに記載の情報再生装置。
【請求項６】
前記各インデックス画像情報が前記記録媒体の一部に設けられたインデックス画像情報保持領域に記録されており、
前記マルチ画面情報生成手段は、前記インデックス画像情報保持領域から前記各プログラム情報毎のインデックス画像情報を取得することを特徴とする、請求項１ないし５のいずれかに記載の情報再生装置。
【請求項７】
前記管理情報が前記記録媒体の最外周に配置され、
前記インデックス画像情報保持領域が前記記録媒体の最内周に配置されていることを特徴とする、請求項４ないし６のいずれかに記載の情報再生装置。
【請求項８】
前記各インデックス画像情報に基づいて表示されるインデックス画像は、静止画であることを特徴とする、請求項１ないし７のいずれかに記載の情報再生装置。
【請求項９】
前記プログラムがＭＰＥＧ方式で圧縮されている動画像の場合、前記インデックス画像情報は、Ｉピクチャであることを特徴とする、請求項１ないし８のいずれかに記載の情報再生装置。
【発明の詳細な説明】
【０００１】
【発明の属する技術分野】
本発明は、光ディスク、光磁気ディスク等の複数のプログラム情報が記録されたディスク状の記録媒体を再生する情報再生装置に関し、特に再生すべき情報を記録媒体から容易に選択可能とした情報再生装置に関する。
【０００２】
【従来の技術】
近年、膨大なデータ容量を必要とする高画質な動画像情報やそれらを用いたプログラム情報等を記録するために、ＤＶＤ（デジタルビデオディスク）をはじめとするディスク状の記録媒体における記録密度の向上及びＭＰＥＧ（ＭｏｖｉｎｇＰｉｃｔｕｒｅ  Ｅｘｐｅｒｔｓ  Ｇｒｏｕｐ）方式を始めとする動画像データにおけるデータ圧縮率の高向上が検討されている。
【０００３】
このように、記録媒体の記録密度及びデータの圧縮率が向上してくると、１枚の記録媒体内に、多数の異なる映画やプログラム情報等を記録することができるようになる。
【０００４】
従来、１枚の記録媒体内に記録された複数のプログラム情報の中から所望のプログラム情報を選択する方法としては、操作者が順次再生動作とスキップ動作とを繰り返し指示することにより１プログラム情報ずつ画面に表示させて、その表示内容を見て判断していた。尚、ここで使用したスキップ指示とは、記録媒体の最内周または最外周に記録されている各プログラム情報の先頭アドレスに基づいて、現在ピックアップが位置するプログラム情報の直前または直後のプログラム情報の先頭アドレスへピックアップを移動させる指示を意味する。
【０００５】
【発明が解決しようとする課題】
しかしながら、１枚の記録媒体内に記録されるプログラム情報の数が増加してくると、従来のように操作者が操作して１プログラムずつ確認していく方法では、その操作に要する手間や時間が無視できない程度に大きなものとなり、操作者に過大な負担をかけてしまうという問題がある。
【０００６】
本発明は、このような問題点に鑑みてなされたものであって、操作者に過大な負担を強いることなく、１枚の記録媒体内に記録された複数のプログラム情報の中から所望のプログラム情報を短時間で且つ容易に選択可能とした情報再生装置を提供することを目的とする。
【０００７】
【課題を解決するための手段】
本発明の情報再生装置は、複数のプログラム情報とそれらプログラム情報の先頭アドレスを含む管理情報とが記録されたディスク状の記録媒体と、その記録媒体に記録されたプログラム情報を読み出す読出手段と、その読出手段により読み出されたプログラム情報に基づいて画像を表示する表示手段とを備えた情報再生装置において、各プログラム情報毎のインデックス画像情報を取得し、それらインデックス画像情報に基づく複数のインデックス画像を表示手段に一覧表示させるマルチ画面情報生成手段を設けたものである。
【０００８】
このような構成とすることにより、複数のインデックス画像が表示手段に一覧表示され、これらインデックス画像に基づいて記録媒体に記録されているプログラム情報が操作者に認知される。
【０００９】
また、マルチ画面情報生成手段は、管理情報に含まれる各プログラム情報の先頭アドレスに基づいて、各プログラム情報からインデックス画像情報を取得するものである。
【００１０】
このような構成とすることにより、各プログラム情報の先頭アドレスに基づいて自動的に各プログラム情報毎のインデックス画像情報が取得される。
【００１１】
また、各インデックス画像情報が記録媒体の一部に設けられたインデックス画像情報保持領域に記録されており、マルチ画面情報生成手段は、インデックス画像情報保持領域から各プログラム情報毎のインデックス画像情報を取得するものである。
【００１２】
このような構成とすることにより、プログラム情報が記録されたプログラム情報を読み出すことなく、記録媒体のインデックス画像情報保持領域を読み出すだけで、インデックス画像情報が取得される。
【００１３】
また、管理情報が記録媒体の最外周に配置され、インデックス画像情報保持領域が記録媒体の最内周に配置されていることを特徴とする請求項３記載の情報再生装置。
【００１４】
このような構成とすることにより、管理情報記録領域とプログラム情報を記録するプログラム情報領域とがインデックス画像保持領域を挟むことなく連続的に配置される。
【００１５】
また、各インデックス画像情報に基づいて表示されるインデックス画像は、静止画である。
【００１６】
このような構成とすることにより、プログラム情報が動画像であっても、インデックス画像情報の情報量が動画像と比較して少なくなる。
【００１７】
また、各インデックス画像情報は、そのインデックス画像情報を含むプログラム情報のうち最初の画像情報である。
【００１８】
このような構成とすることにより、各プログラム情報毎に最初の画像情報が静止画としてインデックス画像となる。
【００１９】
また、各インデックス画像は、そのインデックス画像情報を含むプログラム情報内の別の画像情報に基づいて、所定時間毎に更新されるものである。
【００２０】
このような構成とすることにより、より多くのインデックス画像が表示手段に一覧表示される。
【００２１】
また、所定時間後に更新されるインデックス画像は、プログラム情報内において、現在表示されているインデックス画像のアドレスから所定時間に相当するアドレス量だけ移動したアドレスの画像情報に基づいているものである。
【００２２】
また、インデックス画像には、表示手段に表示された領域に応じて識別符号が付され、その識別符号が対応するプログラム情報の先頭アドレスに関連付けられている。
【００２３】
このような構成とすることにより、識別符号を指示するだけで、対応するプログアム情報が選択される。
【００２４】
また、識別符号を選択指示するための指示手段を備え、その指示手段により選択指示された識別符号を有するインデックス画像は、表示手段にて拡大して表示される。
【００２５】
このような構成とすることにより、表示手段に小さく一覧表示された画像が拡大されて確認し易くなる。
【００２６】
【発明の実施の形態】
本発明の一実施の形態につき、図面に沿って詳述する。尚、以下では、ディスク状の記録媒体として光磁気ディスクを用い、その光磁気ディスクに記録された複数のプログラムに基づくインデックス画像をマルチ画面表示する情報記録再生装置について説明する。
【００２７】
まず、本実施の形態における光磁気ディスク４の構成を説明する。
【００２８】
図１は本実施の形態における光磁気ディスクの概略構成を表す平面図であり、図２はその光磁気ディスクに記録されているデータのデータ構成を模式的に表した構成図である。
【００２９】
本実施の形態における光磁気ディスク４は、同図に示すように、管理情報が記録される管理情報領域４１と、第１プログラム…第Ｎプログラムが記録されるプログラム領域４２とを備えている。
【００３０】
管理情報領域は、光磁気ディスク４の最外周に配置され、そこには各プログラムのＩＤ番号、ファイル名、先頭アドレスを含む格納場所等の管理情報が格納されており、この管理情報に基づいて各プログラムが管理される。
【００３１】
各プログラムには、経過時間等の時間情報が含まれており、この時間情報が光磁気ディスク４上における位置を表すアドレスとして使用される。また、各プログラムには、それぞれプログラムの開始を表すリードイン情報（図示省略）と終了を表すリードアウト情報（図示省略）とが記録されており、このリードイン情報とリードアウト情報との間に実際に実行されるプログラムが格納されている。
【００３２】
次に、上述した光磁気ディスク４に記録された複数のプログラムに基づくインデックス画像をマルチ画面表示する情報記録再生装置の構成について説明する。
【００３３】
図３は情報記録再生装置の外観を表す斜視図であり、図４はその概略構成を表すブロック図である。
【００３４】
情報記録再生装置は、図３に示すように、光磁気ディスク４の記録及び再生が可能なディスク記録再生装置１と、ディスプレイ装置２と、リモコン装置３とから構成されている。
【００３５】
ディスク記録再生装置１は、前面に装置１内の再生位置と装置１外の装着位置との間を往復移動するローディングテーブル２４と、そのローディングテーブル２４の往復移動を指示するイジェクトボタン２３と、リモコン装置３からの赤外線信号を受信する受信部２５とを備えている。
【００３６】
また、ディスク記録再生装置１は、図４に示すように、光磁気ディスク４を回転させるスピンドルモータＳＭと、ディスク４に記録された情報を読み出しまたは書き込むピックアップ１８と、そのピックアップ１８を光磁気ディスク４の半径方向に移動させるリニアモータＬＭと、両モータＳＭ、ＬＭの駆動制御を行う制御部１１とを備えている。
【００３７】
また、制御部１１は、光磁気ディスク４から読み取られた情報をデコードするためのデコード部１３と、光磁気ディスク４に情報を記録するためのエンコード部１４と、ＣＰＵ（中央演算処理装置）１２とを備えている。
【００３８】
更に、制御部１１は、インデックス画像情報メモリ１６と、マルチ画面メモリ１７と、マルチ画面管理情報メモリ１５とを備えている。
【００３９】
インデックス画像情報メモリ１６には、光磁気ディスク４に記録された各プログラムから取得したインデックス画像情報が保持され、マルチ画面メモリ１７には、インデックス画像情報メモリ１６に保持されたインデックス画像情報に基づいて生成されるマルチ画面情報が保持され、マルチ画面管理情報メモリ１５には、各プログラムの先頭アドレスとそのインデックス画像が表示される表示領域に応じた識別符号とを対応付けたマルチ画面管理情報が保持される。
【００４０】
一方、ディスプレイ装置２は、ディスク記録再生装置１とケーブル（図示省略）を介して接続されており、図３に示すように、前面にディスク記録再生装置１からの画像信号を受けてその画像を表示する表示部２１と、側面に音声信号を受けて音声を出力するスピーカ２２とを備えている。
【００４１】
リモコン装置３は、再生ボタン、停止ボタン、スキップボタン、録音ボタン等の記録再生指示部３１と、テンキー、ＯＫボタン、クリアボタン等の選択指示部３２と、押厚されたボタンの指示内容に応じた赤外線信号を発信する発信部３３とを備えている。
【００４２】
次に、上述した光ディスク記録再生装置１の動作について説明する。尚、以下では、特に再生動作について説明する。
【００４３】
図５は情報記録再生装置のインデックス画像表示動作を説明するフローチャートであり、図６はプログラム選択動作を説明するフローチャートである。まず、図５を用いてインデックス画像表示動作を説明した後、図６を用いてプログラム選択動作を説明する。
【００４４】
ディスク記録再生装置１前面のイジェクトボタン２３を押厚して、ローディングテーブル２４を装置１外の装着位置へ移動させ、光磁気ディスク４をローディングテーブル２４上に載置した後、再度イジェクトボタン２３を押厚すると、光磁気ディスク４が装置１内の記録再生位置に案内される。そして、ピックアップ１８は、光磁気ディスク４の最外周に移動して、管理情報領域４１に記録されている管理情報を読み出す（ステップＳ０１）。
【００４５】
次に、光磁気ディスク４から読み出された管理情報に基づいて、記録されているプログラムの総数ＰｎとしてＮを設定し、プログラム番号ｎとして１を設定する（ステップＳ０２）。
【００４６】
次に、ピックアップ１８が第ｎプログラムの先頭アドレスに移動されて、第ｎプログラムの読み取りが開始される（ステップＳ０３）。
【００４７】
そして、読み取られた第ｎプログラムに静止画が含まれている場合には、最初の静止画をインデックス画像情報とし、また、動画像のみで構成されている場合には、最初の動画像をスチルした静止画をインデックス画像情報として、インデックス画像情報メモリ１６に記録する。尚、プログラムがＭＰＥＧ方式で圧縮されている動画像の場合には、最初のＩピクチャーをインデックス画像情報としてもよい（ステップＳ０４、Ｓ０５）。
【００４８】
次に、全てのプログラムからインデックス画像情報を取得したかどうか確認する。全てのプログラムからインデックス画像情報を取得していない（Ｎ＞ｎ）場合には、次のプログラムの先頭アドレスに移動して（ｎ＝ｎ＋１）、ステップＳ０３〜Ｓ０５の処理を行う。また、全てのプログラムからインデックス画像情報を取得している場合には、プログラムの読み出しを終了する（ステップＳ０６、Ｓ０７）。
【００４９】
次に、光磁気ディスク４から読み出されてインデックス画像情報メモリ１６に記録されたインデックス画像情報の個数Ｎに基づいて、画面分割数ｄを決定する。その際、画面の縦方向の分割数と横方向の分割数とを同一にしなければ、画面に表示される画像が歪んでしまうため、ここでは縦横の分割数を同一にする。
【００５０】
例えば、Ｎ＝９の場合、図７（ａ）に示すように画面を３×３の９個に分割すればよい。即ち、２≦Ｎ≦４の場合、画面分割数ｄ＝４（２×２）とし、５≦Ｎ≦９の場合、画面分割数ｄ＝９（３×３）とすれば、１画面に全ての画像が表示可能となる（ステップＳ０８）。
【００５１】
そして、一旦、インデックス画像メモリ１６に保持された各インデックス画像情報は、ＣＰＵ１２により１／ｄに間引いて読み出されて、マルチ画面メモリ１７に保持される。これにより、各インデックス画像情報が、１画面分のデータから１／ｄ画面分のデータに圧縮される（ステップＳ０９）。そして、このマルチ画面メモリ１７のデータが、ディスプレイ装置２に送られ、例えば、Ｎ＝９の場合、図７（ａ）に示すように９（３×３）個の領域に分割されて画面２１に表示される（ステップＳ１０）。
【００５２】
最後に、画面２１に表示されたインデックス画像を含むプログラムの先頭アドレスに、表示された領域の識別符号が対応付けられて、マルチ画面管理情報メモリ１５に記録されて、インデックス画像表示動作が終了する。
【００５３】
次に、図６を用いてプログラム選択動作を説明する。尚、ディスプレイ装置２の画面２１に表示されている画像は、図７（ａ）に示すように、９個のインデックス画像とし、各インデックス画像には、それぞれ左肩に識別符号として１〜９の数字が付されている。
【００５４】
リモコン３の選択指示部３２のうち、選択したいインデックス画像の識別符号と同じ数字のテンキーを押厚して、インデックス画像を選択する。例えば、リモコン３のテンキーのうち３を押厚すると、識別符号３の領域に表示されたインデックス画像が、図７（ｂ）に示すように、全画面表示される。このとき、全画面表示されたインデックス画像は、インデックス画像情報メモリ１６に保持されている画像情報を使用してもよいし、マルチ画面メモリ１７に保持されているインデックス画像情報を平均値補完等の手法によりデータ補完して使用してもよい。（ステップＳ１２、Ｓ１３）。
【００５５】
そして、ディスク記録再生装置１では、リモコン３からの信号を待ち受ける入力待ちの状態になる（ステップＳ１４）。そして、リモコン３の選択指示部３２のクリアキー３２ａが押圧されると、再度マルチ画面表示に戻り、また、記録再生指示部３１のいずれかのキーが押圧されると、選択されたインデックス画像を含むプログラムの先頭アドレスにピックアップ１８が移動して、その指示内容に応じた動作が実行される（ステップＳ１５〜Ｓ１７）。これにより、プログラム選択動作が終了する。
【００５６】
このように本実施の形態によれば、ディスプレイ装置２の画面２１に複数のインデックス画像を一覧表示して、操作者がその画面２１を見てプログラムを選択できるように構成しているため、操作者に過大な負担を強いることなく、光磁気ディスク４に記録された複数のプログラムの中から所望のプログラムを短時間で且つ容易に選択することができる。
【００５７】
また、制御部１１は、管理情報に含まれる各プログラムの先頭アドレスに基づいて、各プログラムからインデックス画像情報を取得しているため、各プログラムの先頭アドレスに基づいて自動的に各プログラム毎のインデックス画像情報を取得することができる。
【００５８】
また、各インデックス画像を、静止画としているため、データ量の多い動画像で構成されるプログラムであっても、インデックス画像情報のデータ量を少なくすることができる。
【００５９】
また、一覧表示されたインデックス画像のうち一つをリモコン３により選択した際、選択されたインデックス画像を拡大して表示しているため、選択した画像の視認性が向上し、より正確且つ容易に選択を行うことができる。
【００６０】
尚、本実施の形態では、光磁気ディスク４をディスク情報再生装置１に装着した際、各プログラムからインデックス画像情報を装置１の制御部１１にて取得し、それらインデックス画像情報に基づいて、マルチ画面表示を行うように構成したが、それに限定されることはない。例えば、光磁気ディスク４にプログラムを記録する毎に、そのプログラムから取得したインデックス画像情報を、光磁気ディスク４の一部に設けたインデックス画像情報保持領域に記録するように構成してもよい。この場合、記録された各プログラムを読み出すことなく、光磁気ディスク４のインデックス画像情報保持領域を読み出すだけで、インデックス画像情報が取得できるため、インデックス画像情報の取得に要する時間を大幅に短縮することができる。
【００６１】
更に、管理情報領域４１が光磁気ディスク４の最外周に配置されている場合には、最内周にインデックス画像保持領域を配置すれば、管理情報領域４１とプログラム領域４２とがインデックス画像保持領域を挟むことなく連続的に配置されて、各プログラムの記録再生動作中にトラックジャンプ等の余分な動作を行わせることがなくなる。尚、管理情報領域４１を光磁気ディスク４の最内周に配置し、インデックス画像保持領域を最外周に配置した場合にも、同様の効果が得られる。
【００６２】
また、本実施の形態では、インデックス画像として、プログラム毎に１つの静止画を用いたが、それに限定されることはない。例えば、画面２１に表示された画像を、所定時間毎に同一プログラム内の別の画像情報に基づいて更新してもよい。この場合、例え最初に表示されたインデックス画像から、操作者の判断に足る充分な情報が得られなくても、更新された画像により、情報が追加されてより正確に判断を行うことができる。
【００６３】
更に、更新する画像を、更新前の画像から所定時間に相当するアドレス量だけ移動した領域の画像とすることにより、操作者は、違和感なく更新された画像を認知することができる。
【００６４】
また、インデックス画像としては、動画像を使用してもよい。
【００６５】
【発明の効果】
本発明によれば、記録媒体に記録された各プログラム毎のインデックス画像情報を取得して一覧表示し、その一覧表示されたインデックス画像をを選択指示できるように構成したため、１枚の記録媒体内に記録された複数のプログラム情報の中から所望のプログラム情報を短時間で且つ容易に選択することができる。
【図面の簡単な説明】
【図１】本発明の一実施の形態における光磁気ディスクの概略構成を表す説明図である。
【図２】図１の光磁気ディスクに記録される情報の概略データ構成を表す構成図である。
【図３】本実施の形態における情報再生装置の外観を表す斜視図である。
【図４】図３の情報記録再生装置の概略構成を表すブロック図である。
【図５】本実施の形態における情報記録再生装置のインデックス画像表示動作を表すフローチャート。
【図６】本実施の形態におけるプログラム選択動作を説明するフローチャート。
【図７】画面に一覧表示されたインデックス画像（ａ）と拡大表示された画像（ｂ）とを説明する説明図である。
【符号の説明】
１  ：ディスク記録再生装置
１１：制御部
２  ：ディスプレイ装置
２１：表示部
３  ：リモコン
４  ：光磁気ディスク
【図１】
0003630989.tif 000002
【図２】
0003630989.tif 000003
【図３】
0003630989.tif 000004
【図４】
0003630989.tif 000005
【図５】
0003630989.tif 000006
【図６】
0003630989.tif 000007
【図７】
0003630989.tif 000008